(57)【要約】【課題】本発明は、磁気ヘッドと窓の側壁との隙間に引き込まれる磁気テープの引き込みを抑制し、磁気テープと磁気ヘッドとの接触状態を良好な状態に保持することを可能とする磁気テープ引込防止機構２１３を提供することを課題とする。【解決手段】回転シリンダ１０７の側面に凹状に形成された窓１０１に磁気ヘッド２０３が設置されたヘリカルスキャン方式の磁気テープドライブにおいて、磁気テープの引き込みを抑止する台座２０４を磁気ヘッド２０３と窓１０１の側壁との隙間に設け、この台座２０４は、片持ち梁であるバイモルフ素子２１２の自由端上に固定され、上下方向に変位可能な構成とすることを特徴とした。【選択図】  図２
2004158075.tif 000002
【特許請求の範囲】
【請求項１】
回転シリンダの外周面部に凹状に形成された窓の内部に磁気ヘッドを有するヘリカルスキャン方式の磁気ヘッドユニットにおいて、
前記窓の内側壁と前記磁気ヘッドとの隙間に配置されて、前記回転シリンダに連結されるとともに、前記隙間への磁気テープの引込みを規制する台座を有することを特徴とした磁気テープ引込防止機構付磁気ヘッドユニット。
【請求項２】
前記台座は、前記回転シリンダの一部を固定端とした片持ち梁の自由端に、固定されていることを特徴とする請求項１に記載の磁気テープ引込防止機構付磁気ヘッドユニット。
【請求項３】
前記台座は、前記回転シリンダの一部を固定端として平行に配置された複数の片持ち梁の自由端が各々互いに橋絡されている部分に、固定されていることを特徴とする請求項１に記載の磁気テープ引込防止機構付磁気ヘッドユニット。
【請求項４】
前記片持ち梁は、バイモルフ素子であることを特徴とする請求項２または請求項３に記載の磁気テープ引込防止機構付磁気ヘッドユニット。
【請求項５】
前記台座は、前記回転シリンダの一部に一端が固定されかつ圧電セラミックと電極が交互に連続して積層してなる積層圧電素子の他端に、固定されていることを特徴とする請求項１に記載の磁気テープ引込防止機構付磁気ヘッドユニット。
【発明の詳細な説明】
【０００１】
【発明の属する技術分野】
本発明は、ヘリカルスキャン方式の磁気テープドライブにおいて磁気ヘッドの隙間への磁気テープの引込みを防止することを可能とする引込防止機構付磁気ヘッドユニットに関するものである。
【０００２】
【従来の技術】
従来、ヘリカルスキャン方式の磁気テープドライブは、例えばＶＨＳ方式のビデオテープレコーダ（ＶＴＲ）を初めとして、コンピュータのデータバックアップ用に使用されるＤＡＴ（Ｄｉｇｉｔａｌ  Ａｕｄｉｏ  Ｔａｐｅ）のドライブ装置としても採用される。
【０００３】
ヘリカルスキャン方式に基づく磁気テープドライブは、円筒形状である回転シリンダを有している。図７は、この回転シリンダ７０７の外周面部に凹状に切欠形成された窓７０１部分を拡大して示す拡大構成図である。そして、この窓７０１の内部には、磁気ヘッド７０３が配置されている。
【０００４】
この磁気テープドライブでは、磁気テープ７０２が回転シリンダ７０７の外周面の半周部分に斜めに密接しつつ等速で走行し、さらに回転シリンダ７０７が軸回転している。これにより、磁気ヘッド７０３は磁気テープ７０２の走行方向斜めに繰返し連続して摺動し、情報の書き込みもしくは読み取りを行う（例えば、非特許文献１参照）。
【０００５】
【非特許文献１】
原田益水著、「ビデオ技術のすべて」、株式会社電波新聞社刊、２０００年４月、Ｐ．１３−１５
【０００６】
【発明が解決しようとする課題】
ところで、前記した磁気テープドライブでは、磁気テープ７０２が走行する際に、磁気テープ７０２の張力や、動圧のために、磁気テープ７０２が隙間Ａ，Ｂ中に引込まれることが知られている。磁気テープ７０２が隙間Ａ，Ｂ中に引込まれると、隙間Ａ，Ｂにおいて磁気テープ７０２とシリンダ７０７との摩擦が大きくなるため、磁気テープ７０２と回転シリンダ７０７との摩擦により摩耗粉が発生する。この摩耗粉は、磁気ヘッド７０３の表面に付着し、記録再生時にノイズが生じる原因となる。また、この磁気テープドライブでは、磁気ヘッド７０３と磁気テープ７０２との接触状態が不安定となるため、記録再生信号の劣化が懸念される。
【０００７】
本発明は、かかる課題を解決する為になされたものであって、磁気テープの引込みを抑制することによって、記録再生時の信号の劣化を回避するとともに、磁気テープおよび磁気ヘッドが磨耗劣化するのを抑制するヘリカルスキャン方式の磁気ヘッドユニットの磁気テープ引込防止機構を提供するものである。
【０００８】
【課題を解決するための手段】
本発明は、前記した目的を達成するために創案されたものであり、まず請求項１に記載の磁気テープ引込防止機構付磁気ヘッドユニットは、回転シリンダの外周面部に凹状に形成された窓の内部に磁気ヘッドを有するヘリカルスキャン方式の磁気ヘッドユニットにおいて、前記窓の内側壁と前記磁気ヘッドとの隙間に配置されて、前記回転シリンダに連結されるとともに、前記隙間への磁気テープの引込みを規制する台座を有することを特徴とした。
【０００９】
かかる構成によれば、記録再生時に、磁気ヘッドと窓の側壁との間隙へ引込まれた磁気テープは、前記台座の作用により、磁気テープのさらなる引込みが抑制される。これにより、磁気テープ走行中における磁気ヘッドと磁気テープとの接触状態をある程度一定に維持することを可能とし、記録再生時の信号劣化を回避し、Ｓ／Ｎ比が向上され、また磁気テープおよび磁気ヘッドが磨耗劣化するのを抑制する効果を得る。
【００１０】
請求項２に記載の磁気テープ引込防止機構付磁気ヘッドユニットは、請求項１に記載の磁気テープ引込防止機構付磁気ヘッドユニットであって、前記台座は、前記回転シリンダの一部を固定端とした片持ち梁の自由端に、固定されていることを特徴とした。
【００１１】
かかる構成によれば、前記台座と前記回転シリンダは片持ち梁を介して連結されることとなる。これにより、簡便な構造で、前記台座と前記回転シリンダとを連結することが可能となる。また、この片持ち梁として、バイモルフ素子のような、小型で比較的大きな歪を得るマイクロアクチュエータに変換容易な構成となる。
【００１２】
請求項３に記載の磁気テープ引込防止機構付磁気ヘッドユニットは、請求項１に記載の磁気テープ引込防止機構機構付磁気ヘッドユニットであって、前記台座は、前記回転シリンダの一部を固定端として平行に配置された複数の片持ち梁の自由端が各々互いに橋絡されている部分に、固定されていることを特徴とした。
【００１３】
かかる構成によれば、前記片持ち梁の撓み変形に伴う、台座の首振りが抑制され、引込まれた磁気テープと台座との接触面は常時一定角度で保持されることとなる。これにより磁気テープと磁気ヘッドとの接触性を左右する因子は、磁気テープの引込み量のみに依存することとなる。よって、台座位置の制御を行う場合は、検討条件が単純化され、最適値条件設定が行いやすくなる。また、テープ引込防止機構の剛性向上効果も得られる。
【００１４】
請求項４に記載の磁気テープ引込防止機構付磁気ヘッドユニットは、請求項２または請求項３に記載の磁気テープ引込防止機構付磁気ヘッドユニットであって、前記片持ち梁は、バイモルフ素子であることを特徴とした。
【００１５】
かかる構成によれば、前記台座の位置は回転シリンダの半径方向に可変自在となり、磁気テープの引込み量を一定の規定値に制御可能となる。これにより、磁気テープ走行中における磁気ヘッドと磁気テープとの接触状態を常時一定に維持することを可能とし、記録再生時の信号劣化を回避し、Ｓ／Ｎ比が向上され、また磁気テープおよび磁気ヘッドが磨耗劣化するのを抑制する効果を得る。
【００１６】
請求項５に記載の磁気テープ引込防止機構付磁気ヘッドユニットは、請求項１に記載の磁気テープ引込防止機構付磁気ヘッドユニットであって、前記台座は、前記回転シリンダの一部に一端が固定されかつ圧電セラミックと電極が交互に連続して積層してなる積層圧電素子の他端に、固定されていることを特徴とした。
【００１７】
かかる構成によれば、テープ引込防止機構のさらなる剛性向上が得られ、引込まれた磁気テープの押圧力による、テープ引込防止機構の変形は完全に無視することが可能となり、磁気テープ引込み量の高精度制御が可能となる。これにより、磁気テープ走行中における磁気ヘッドと磁気テープとの接触状態を常時一定に維持することを可能とし、記録再生時の信号劣化を回避し、Ｓ／Ｎ比が向上され、また磁気テープおよび磁気ヘッドが磨耗劣化するのを抑制する効果を得る。
【００１８】
【発明の実施の形態】
以下本発明の実施の形態について図面を参照しつつ説明する。
（第一の実施の形態）
図１および図２を参照して本発明における第一の実施の形態について説明する。
図１は、本発明における磁気テープ引込防止機構付磁気ヘッドユニットが組込まれたヘッドシリンダ１００の基本構成を示す斜視図である。この、ヘッドシリンダ１００は、ドライブ本体側に固定される固定シリンダ１０８と、固定シリンダ１０８に同軸でかつ、この軸を中心に回転する回転シリンダ１０７とからなる。
【００１９】
これら、固定シリンダ１０８と回転シリンダ１０７とは、互いに同軸の円筒形状であって、両者を貫通する中心軸の一端は、固定シリンダ１０８側で回転可能に軸承され、他端は、回転シリンダ１０７側に軸止されている。そして、両者は、円筒外周面の対峙部分において一定間隔のギャップ１０６を形成した状態で、回転シリンダ１０７が軸中心に回転可能な構造を有している。また、回転シリンダ１０７の外周の縁端でギャップ１０６に面する部分には、凹状に切欠形成された窓１０１が設けられている。そして、磁気テープ１０２は、傾角ガイド１０９に外接してヘッドシリンダ１００の円筒外周面部の半周部分に、図示するように、斜めに巻き付けられている。
【００２０】
図２（ａ）は、ヘッドシリンダ１００の外周面方向から窓１０１部分を拡大して示す構成図である。図２（ｂ）は、回転シリンダ１０７の底面方向から窓１０１部分を拡大して示す構成図である。この窓１０１の内側には、磁気ヘッド２０３ならびに、固定台２１１、バイモルフ素子２１２、および台座２０４（２０４ａ，２０４ｂ，２０４ｃ，２０４ｄ）からなるテープ引込防止機構２１３が配設されている。なお、以降台座を特定しない場合は、単に「台座２０４」という。また、磁気テープ１０２は、窓１０１部分にかかっている一部分を示したものである。
【００２１】
磁気ヘッド２０３は、固定軸２１４を介して回転シリンダ１０７に固定され、磁気ヘッド２０３の先端が、窓１０１から僅かに（約２０〜３０μｍ）突出するように取り付けられている。そして、この磁気ヘッド２０３の先端部は、磁気テープ１０２表面を当接摺動し磁気層に対して情報の読み取り、もしくは書き込みを行う。
【００２２】
そして、磁気ヘッド２０３の四方を取り囲むように四枚の台座２０４が、磁気ヘッド２０３と窓１０１の側壁との隙間２１５に配置されている。ここで、これら四枚の台座２０４はそれぞれ、バイモルフ素子２１２を介して、回転シリンダ１０７に固定された固定台２１１に固定されている。また、バイモルフ素子２１２は一端を固定端として固定台２１１に固定され、他端は自由端として、台座２０４が固定される片持ち梁構造を有している。
【００２３】
ここで、固定台２１１、バイモルフ素子２１２、および台座２０４からなるテープ引込防止機構２１３は、バイモルフ素子２１２の撓み変形により、周辺部と互いに接触干渉することがないように配置・構成されているものとする。また、このテープ引込防止機構２１３の機能は、磁気テープ１０２の走行時における隙間２１５への引込み量を抑制または制御するものである。なお、図示されていないが、図１において、回転シリンダ１０７の回転軸に対象位置には、窓１０１、磁気ヘッド２０３、およびテープ引込防止機構２１３等と同一構成の機構が対となるように形成されている。
【００２４】
図３は、バイモルフ素子２１２を説明するための説明図である。バイモルフ素子２１２とは、印加する電圧の極性により撓み変形を発生するマイクロアクチュエータであって、比較的大きな変位を得る特徴を有している。バイモルフ素子２１２の構成は、図示するように、分極方向を逆とした二枚の圧電セラミック３０１（３０１ａ，３０１ｂ）を、金属板３０２の両面に張り合わせ、さらに、外側に電極３０３（３０３ａ，３０３ｂ）を形成するものである。なお、以降、圧電セラミックおよび電極を特定しない場合には、単に「圧電セラミック３０１」および「電極３０３」という。ここで、圧電セラミック３０１は、ジルコン酸チタン酸鉛等のセラミック粉末を焼結してなるもので、厚み方向に電圧を印加することで、長手方向に伸び（または縮み）を発生するものである。また、金属板３０２は、電極３０３と、バイモルフ素子２１２との強度補強とを兼ねた作用を有するものである。
【００２５】
ここで、図示する回路が閉じると金属板３０２と電極３０３ａおよび電極３０３ｂとの間に電界が形成され、圧電セラミック３０１ａおよび３０１ｂがそれぞれ逆方向に伸縮する。これにより、バイモルフ素子２１２には、印加した電圧に比例した撓み変形を発生することとなる。なお、この撓み変形量は金属板３０２、および圧電セラミック３０１の厚み、もしくは弾性率に依存するものである。
【００２６】
図４は、本実施例におけるテープ引込防止機構２１３を説明する説明図である。図示するように、バイモルフ素子２１２の一端は、回転シリンダ１０７に固定された固定台２１１に挿入圧着され固定端を形成し、他端は、自由端を形成し、台座２０４が取り付けられ、全体として片持ち梁を構成している。そして、バイモルフ素子２１２に設置された電極３０３と金属板３０２（図３）との間に電圧を印加すると、バイモルフ素子２１２が撓み変形し、隙間２１５（図２）における台座２０４の位置を回転シリンダ１０７の半径方向に可変自在とするものである。
【００２７】
図４に示す、テープ引込防止機構２１３の三種の態様（ａ）、（ｃ）、および（ｂ）はそれぞれ、バイモルフ素子２１２に印加する電圧を正逆反転させた場合、および無印加の場合を示したものである。なお、印加電圧を連続的に走査することで、台座２０４位置を追従性よく連続的に回転シリンダ１０７の半径方向に変化させることができる。このような、台座２０４の動作により、台座２０４先端は、隙間２１５（図２）に引込まれる磁気テープ１０２のＵ字形状先端部分を当接押圧し、さらなる侵入を防ぎ、さらに、この引込み量を一定の規定値に制御する作用を有する。
【００２８】
次に、図１および図２を用いて、本実施形態におけるテープ引込防止機構２１３を装着したヘリカルスキャン方式の磁気ヘッドユニットの全体動作について説明する。ここで、ヘリカルスキャン方式とは、図示しないカートリッジケース内に収容され同一平面に接する１組のリールに巻回された磁気テープ１０２を、上記カートリッジケースのテープ収容部から傾角ガイド１０９を含む１組のローディング手段で引出して、ヘッドシリンダ１００の外周面にほぼＵ字型に添接させる方式をいう。
【００２９】
そして、カートリッジケースから引出された磁気テープ１０２は、ヘッドシリンダ１００の外周面の半周部分に対して一定の傾斜角をもって密接して巻き付けられ、摺動しつつ等速でテープ送りされる。このように、磁気テープ１０２がヘッドシリンダ１００の外周面の表面を等速で走行している状態で、回転シリンダ１０７は、回転軸を中心として回転する。このとき、対角に位置する二つの窓１０１（一方図示略）が擁する磁気ヘッド２０３は、磁気テープ１０２の表面を走行方向斜めに交互に連続してなぞることとなる。このようにして、磁気ヘッド２０３は、記録時において、磁気テープ１０２表面の磁性膜に一定角度を有する記録トラックを連続して形成し、再生時においては、この記録トラックをトレースすることとなる。
【００３０】
このとき、磁気ヘッド２０３と磁気テープ１０２との間の相対速度は、かなり高速となるため、磁気テープ１０２の張力や動圧の為、磁気テープ１０２が窓１０１（図２）部分に強く押し付けられ、磁気テープ１０２が隙間２１５部分に引込まれてしまう現象が観測される。この磁気テープ１０２の引込み量が大きかったり、変動したりすると、磁気テープ１０２と磁気ヘッド２０３との接触が不安定となり、記録再生信号の劣化を誘起したり、さらに両者の磨耗・劣化を一気に加速したりする問題を生ぜしめる。
【００３１】
そこで、かかる問題を回避するために、台座２０４（図２）の先端部分は、引込まれた磁気テープ１０２のＵ字形状先端部分を当接押圧することにより、さらなる引込みを抑制している。さらに、バイモルフ素子２１２の撓み変形により台座２０４の位置を可変することで、この引込み量を最適値に保持し、磁気テープ１０２と磁気ヘッド２０３との良好な接触状態を維持可能とする。
【００３２】
この際、台座位置の具体的な制御態様の一例として、カートリッジケースに収納された磁気テープのリーダ部分にあらかじめリファレンス信号を記録しておき、磁気テープドライブの初期駆動時に検出されたリファレンス信号の出力大きさに基づいて台座の変位量を制御する方法などが考えられる。この場合、磁気ヘッド２０３による検出信号の出力が最適となるように、電極３０３（図３）への印加電圧がフィードバック制御されることにより、台座２０４の適正位置が定まることとなる。また、デジタル信号を記録した磁気テープを使用する場合にあってはデジタル信号の出力の大きさに基づいて台座２０４の変位量を制御してもよい。さらに、磁気ヘッドの磨耗等により信号の出力が低下した場合等においては、信号出力が最大となるように台座２０４の変位量を制御するとよい。
【００３３】
以上により、磁気ヘッド２０３周辺の隙間２１５への、磁気テープ１０２の引込みが抑制、もしくは引込み量が一定値に制御される為、記録再生時の信号劣化を回避し、Ｓ／Ｎ比を向上させ、また磁気テープ１０２および磁気ヘッド２０３が磨耗劣化するのを抑制する効果を得る。
【００３４】
（第二の実施の形態）
図５は、テープ引込防止機構２１３（図２）の他の実施形態を示す構成図である。本実施形態におけるテープ引込防止機構５１３は、回転シリンダ１０７に固定された固定台５１１と二枚のバイモルフ素子５１２（５１２ａ，５１２ｂ）と、上面と下面が互いに平行な断面コ字形状の剛体からなる台座基台５１５と台座５０４とからなる。なお、以降、二枚のバイモルフ素子を特定しない場合には単に、「二枚のバイモルフ素子５１２」という。この二枚のバイモルフ素子５１２は、それぞれの一端が固定台５１１に挿入圧着され固定端を形成し、さらに互いが平行となるように配置している。そして、二枚のバイモルフ素子５１２それぞれの他端は、台座基台５１５の上面と下面とに内接し固定され、橋絡されている。このようにして、二枚のバイモルフ素子５１２は、台座５０４と回転シリンダ１０７（図２）とを連結している。
【００３５】
第二実施形態におけるテープ引込防止機構５１３の特徴は、バイモルフ素子５１２が撓み変形した場合、台座５０４が首振り運動を行わない点と、テープ引込防止機構５１３の剛性が向上する点である。ここで、台座の首振り運動とは、図４の（ａ）（ｂ）（ｃ）に示すように、バイモルフ素子２１２の変形に伴って、台座２０４の点線で示す軸角度が変動することである。
【００３６】
この台座の首振りに伴う問題点は、隙間２１５（図２）に引込まれた磁気テープ１０２のＵ字形状先端と接触する台座２０４の上端面が、バイモルフ素子２１２の変形量に依存した傾斜角度を有することにある。この、傾斜角度の変化は、磁気テープと磁気ヘッドとの接触性に影響を与える可能性を有する。この接触性に影響を与える因子として、既述した磁気テープの引込み量の他、前記傾斜角度の存在は、両者の寄与率を鑑みる必要性を生じ、テープ引込防止機構２１３の制御の最適値条件設定の検討がより複雑化することが懸念される。
【００３７】
上述した問題を回避するため、第二の実施態様におけるテープ引込防止機構５１３においては、二枚のバイモルフ素子５１２の一端を断面コ字形状で剛体の台座基台５１５により橋絡することとした。これにより、台座５０４の固定面は、バイモルフ素子５１２の変形にかかわらず常時水平状態を保持することとなる。これにより、台座基台５１５上に配置される台座５０４は、首振りすることなく、磁気テープ１０２との接触面は常時一定角度で保持され、磁気テープ１０２と磁気ヘッド２０３との接触性を左右する因子は、磁気テープの引込み量のみに依存することとなる。
【００３８】
また、本実施形態における二点目の利点である、テープ引込防止機構５１３の剛性が向上する点に関しては、バイモルフ素子５１２が二枚並列に配置されたことに加えて、自由端側も固定端側と同様の変形様式になったことによる。これは、第一実施形態におけるテープ引込防止機構２１３との剛性比較において、同一の厚み、幅、長さの同一形状のバイモルフ素子を使用した場合において、８倍の剛性向上が得られるものである。なお、以上の第二実施形態の説明において、バイモルフ素子５１２は二枚組であることとしたが、任意の複数枚組であってもよい。
【００３９】
（第三の実施の形態）
図６は、テープ引込防止機構の第三の実施形態を示す構成図である。本図において、図２と同一機能を有する部分については、同一の符号を付し説明は省略することとする。ここで、積層圧電素子６１２とは、板状の圧電セラミックと電極とを交互に連続して積層させたものである。このように、積層圧電素子６１２は、積層方向の一端に取り付けられた台座６０４と、回転シリンダ１０７上に固定した固定台６１１とを連結している。
【００４０】
そして、積層圧電素子６１２を構成する、各圧電セラミック板のそれぞれに所定電圧を印加することで、各板が厚み方向に伸縮し、個々の圧電セラミック板の変形が累積され、積層圧電素子６１２全体として、長手方向に大きく伸縮することとなる。これにより、台座６０４は、隙間２１５部分において、回転シリンダ１０７の半径方向に変位することとなり、この隙間２１５に引込まれる磁気テープ１０２のＵ字形状先端部分を当接押圧して、その引込み量を調整するものである。
【００４１】
本実施形態における利点は、第一、第二の実施形態との比較において、テープ引込防止機構６１３のさらなる剛性向上が得られる点である。これは、第一、第二、第三実施形態におけるテープ引込防止機構（２１３，５１３，６１３）の外力に対する変形様式が、第一、第二実施形態では撓み変形であるのに対して、本実施形態においては圧縮変形であることによる。
【００４２】
一般に、後者の圧縮変形様式では、撓み変形様式と比較して、高い機械的剛性が得られるので、隙間２１５に引込まれた磁気テープ１０２が台座６０４に及ぼす押圧力によっては、積層圧電素子６１２はほとんど変形しない。これにより、台座６０４は、磁気テープ１０２からの外力により位置的に変動することがない為、電極に印加した電圧と、動作中の台座６０４の位置との関係は、常時一対一に対応することとなり、再現性の高い台座６０４の位置決め制御が可能となる。
【００４３】
以上の説明において、第一、第二、および第三実施形態における台座（２０４，５０４，６０４）と回転シリンダ１０７とを連結する部材として、圧電セラミックによるアクチュエータを用いたが、これにかわり弾性部材や、剛体部材で固定するものであってもよい。これら、弾性部材や、剛体部材によれば磁気テープ１０２の引込み量を自在に制御することはできないが、極めて簡易に、安価に、引込み量を一定値以下とする作用を有する。この為、磁気テープと磁気ヘッドとの接触状態をある程度一定状態に保持することが可能となり、圧電セラミックアクチュエータを用いた場合とほぼ同等の効果が期待できる。
【００４４】
【発明の効果】
以上説明したとおり、本発明によれば、磁気ヘッド周辺の隙間への磁気テープ引込みが抑制、もしくは引込み量が一定値に制御される為、記録再生時の信号劣化を回避し、Ｓ／Ｎ比が向上され、また磁気テープおよび磁気ヘッドが磨耗劣化するのを抑制する効果を得る。
【図面の簡単な説明】
【図１】本発明における磁気テープ引込防止機構付磁気ヘッドユニットが組込まれたヘッドシリンダの基本構成を示す斜視図である。
【図２】（ａ）本発明の第一実施形態における磁気テープ引込防止機構付磁気ヘッドユニット部分の、回転シリンダの外周面方向からの構成図である。
（ｂ）本発明の第一実施形態における磁気テープ引込防止機構付磁気ヘッドユニット部分の、回転シリンダの底面方向からの構成図である。
【図３】バイモルフ素子を説明するための説明図である。
【図４】第一実施形態におけるテープ引込防止機構の動作態様を説明する説明図である。
【図５】第二実施形態におけるテープ引込防止機構の動作態様を説明する説明図である。
【図６】（ａ）本発明の第三実施形態における磁気テープ引込防止機構付磁気ヘッドユニット部分の、回転シリンダの外周面方向からの構成図である。
（ｂ）本発明の第三実施形態における磁気テープ引込防止機構付磁気ヘッドユニット部分の、回転シリンダの底面方向からの構成図である。
【図７】従来方式における磁気ヘッド部分の、回転シリンダの外周面方向からの構成図である。
【符号の説明】
１００  ヘッドシリンダ
１０１  窓
１０２  磁気テープ
１０６  ギャップ
１０７  回転シリンダ
１０８  固定シリンダ
２０３  磁気ヘッド
２０４，２０４ａ，２０４ｂ，２０４ｃ，２０４ｄ，５０４，６０４  台座
２１１，５１１，６１１  固定台
２１２，５１２，５１２ａ，５１２ｂ  バイモルフ素子
２１３，５１３，６１３  テープ引込防止機構
２１４  固定軸
３０１，３０１ａ，３０１ｂ  圧電セラミック
３０２  金属板
３０３，３０３ａ，３０３ｂ  電極
５１５  台座基台
６１２  積層圧電素子
【図１】
2004158075.tif 000003
【図２】
2004158075.tif 000004
【図３】
2004158075.tif 000005
【図４】
2004158075.tif 000006
【図５】
2004158075.tif 000007
【図６】
2004158075.tif 000008
【図７】
2004158075.tif 000009